(57)【要約】【課題】陳列台に押し付け板を簡単に取り付け及び取り外しができる什器を提供する。【解決手段】陳列台１４の底面に前後方向に開口したガイド孔１６と、陳列台１４の底面に沿って移動する脚部２４と、脚部２４から立設され、商品を前方に押圧する押し出し板２２と、ガイド孔１６と係合する係合部２６と、陳列台１４の後面に設けられた弾力性を有する爪２０と、陳列台１４の底面後部に開口し、かつ、ガイド孔１６の後端部と連続した着脱開口部１８とを有する。【選択図】      図４
2011125485.tif 000002
【特許請求の範囲】
【請求項１】
商品を前後方向に収納する陳列台を有する什器において、
前記陳列台の底面に前後方向に開口したガイド孔と、
前記陳列台の底面に沿って移動する脚部と、
前記脚部から立設され、前記商品を前方に押圧する押し出し板と、
前記脚部から下方に突出し、前記ガイド孔と係合する係合部と、
前記陳列台の後面に設けられた弾力性を有する爪と、
前記陳列台の底面後部に開口し、かつ、前記ガイド孔の後端部と連続した着脱開口部と、
を有することを特徴とする什器。
【請求項２】
前記着脱開口部の前後方向の寸法が、前記脚部の前後方向の寸法より短い、
ことを特徴とする請求項１に記載の什器。
【請求項３】
前記爪と係合する突起が、前記脚部の上面から突出している、
ことを特徴とする請求項１に記載の什器。
【請求項４】
前記押し出し板に渦巻き状の板バネが配され、前記板バネの先端部が、前記陳列台の底面の前端に固定されている、
ことを特徴とする請求項１に記載の什器。
【発明の詳細な説明】
【技術分野】
【０００１】
本発明は、商品を前後方向に収納する陳列台を有する什器に関するものである。
【背景技術】
【０００２】
スーパーマーケットやコンビニエンスストア等の店においては、タバコ等の商品を販売するために什器が設置されている。
【０００３】
例えば、特許文献１〜特許文献３に示すように、商品を前後方向に収納する陳列棚に、押し出し板を配し、この押し出し板がバネによって常に前に付勢され、この押し出し板によって商品が前方に押し出されてくる。
【先行技術文献】
【特許文献】
【０００４】
【特許文献１】特開昭５９−２１８１１３号公報
【特許文献２】実用新案登録第３１２９１５４号公報
【特許文献３】実用新案登録第３１１８７００号公報
【発明の概要】
【発明が解決しようとする課題】
【０００５】
特許文献１〜特許文献２に示す装置においては、押し出し板の取り付けは、陳列台に押し出し板を取り付けてから別部品で蓋をしたり、部品を撓ませて嵌め込み、また、押し出し板を回転させて嵌めたりする必要があり、組み立て性が悪くガタが大きい。
【０００６】
また、特許文献３に装置においては、押し出し板を、穴に捻って差し込む必要があり、さらに押し出し板を加圧するばねの存在により、押し出し板が捻り難いという点も含め、取り付けや取り外しが行い難いという問題点があった。
【０００７】
そこで、本発明は上記問題点に鑑み、陳列台に押し付け板を簡単に取り付け及び取り外しができる什器を提供する。
【課題を解決するための手段】
【０００８】
本発明は、商品を前後方向に収納する陳列台を有する什器において、前記陳列台の底面に前後方向に開口したガイド孔と、前記陳列台の底面に沿って移動する脚部と、前記脚部から立設され、前記商品を前方に押圧する押し出し板と、前記脚部から下方に突出し、前記ガイド孔と係合する係合部と、前記陳列台の後面に設けられた弾力性を有する爪と、前記陳列台の底面後部に開口し、かつ、前記ガイド孔の後端部と連続した着脱開口部と、を有することを特徴とする什器である。
【発明の効果】
【０００９】
本発明によれば、弾力性を有する爪を押さえて、着脱開口部に押し出し板の係合部を簡単に嵌め込むことができる。また、逆に、この爪を押さえておけば、押し出し板の係合部を着脱開口部から簡単に取り外すことができる。
【図面の簡単な説明】
【００１０】
【図１】本発明の一実施例を示す什器の陳列棚の斜視図である。
【図２】押し出し板を陳列台に嵌め込もうとしている第１の図である。
【図３】陳列台に押し出し板を嵌め込もうとしている第２の図である。
【図４】押し出し板を陳列台に嵌め込んだ状態の縦断面図である。
【図５】板バネを押し出し板に取り付けた状態の前方から見た縦断面図である。
【図６】押し出し板を後部に固定した状態の縦断面図である。
【図７】タバコを収納した状態の縦断面図である。
【発明を実施するための形態】
【００１１】
以下、本発明の一実施例に係る什器１０について、図１〜図７に基づいて説明する。本実施例の什器１０は、スーパーマーケットやコンビニエンスストア等の店のレジ内部に設けられたタバコＴを販売するためのものである。
【００１２】
（１）什器１０の構造
什器１０の構造について説明する。
【００１３】
図１に示すように、什器１０の陳列棚１２には、複数（例えば、５列）の陳列台１４が配列されている。
【００１４】
陳列台１４には、タバコＴを前後方向に複数個収納することができ、陳列台１４の幅はタバコＴの寸法に合わせて形成されている。
【００１５】
陳列台１４の底面には、前後方向に沿ってガイド孔１６が開口し、このガイド孔１６の後端部には、平面矩形の着脱開口部１８が連続して形成されている。着脱開口部１８の前縁部１９は、図３の拡大図に示すように、斜面状に形成され、上面ほど後方に突出している。
【００１６】
陳列棚１２の後面には、切り欠きによって爪２０が形成されている。この爪２０は、上端部で陳列台１４の後面と連続し、下端部が切り欠かれている。そして、爪部２０は前後方向に対し弾力性を有している。
【００１７】
陳列台１４の内部には、底面に沿って移動する脚部２４が配され、この脚部２４の前端部から押し出し板２２が立設されている。この押し出し板２２は、タバコＴを前方に押圧する。脚部２４の下面には、ガイド孔１６と係合する係合部２６が突出している。この係合部２６の幅は、ガイド孔１６の幅とほぼ同じであり、係合部２６の下端の両側から、抜脱防止用の突出部２８が突出している。この脚部２４の前後方向の寸法は、着脱開口部１８の前後方向の寸法よりも大きく形成されている。押し出し板２２の下端と脚部２４にかけての角部２３は、図３の拡大図に示すように、斜面上に形成されている。また、脚部２４の上面の後端部から突起３６が突出している。
【００１８】
押し出し板２２の後面側には、渦巻き状の板バネ３０が配され、この板バネ３０は、押し出し板２２の下端に開口した貫通孔３２を通って前方に引き出され、陳列台１４の底面の前端部にある固定部３４で固定される。
【００１９】
（２）タバコＴの陳列方法
押し出し板２２を陳列台１４に取り付ける場合について説明する。
【００２０】
まず、図２に示すように、押し出し板２２を寝かせた状態で脚部２４から突出している突出部２８で爪２０の下部を押圧する。また、突出部２８の前端部を着脱開口部１８に挿入する。
【００２１】
次に、図３に示すように、寝かした状態から角部２３を中心にして押し出し板２２を後方に向かって回転させて垂直に立たせる。すると、さらに爪２０が押圧される。このときに図３の拡大図に示すように、角部２３は傾斜面になっているためにスムーズに回転でき、また、着脱開口部１８の前縁部１９が斜面状に形成されているので突出部２８がこの前縁部１９に当たることがなくスムーズに回転して、係合部２６と突出部２８とが着脱開口部１８に挿入される。
【００２２】
次に、図４に示すように、脚部２４の後端部が爪２０の下端部を通り越して、係合部２６と突出部２８とが着脱開口部１８に嵌め込まれる。押し出し板２２を取り付けた後は、脚部２４の前後方向の寸法が、着脱開口部１８の前後方向の寸法より長いため、押し出し板２２が着脱開口部１８より外れることが防止される。
【００２３】
次に、図５に示すように、渦巻き状の板バネ３０の先端を貫通孔３２に通し、押し出し板２２の後方にある脚部２４に渦巻き状の板バネ３０を固定する。
【００２４】
次に、板バネ３０の先端を、固定部３４を用いて陳列台１４の底面の前端部に固定する。
【００２５】
次に、図６に示すように、タバコＴが陳列台１４に全く無い場合には、タバコＴを収納するために押し出し板２２を陳列台１４の後部に固定する必要がある。この場合に、押し出し板２２は、板バネ３０を取り付け、押し出し板２２の下部を係合部２６で支持すると、上部が前へ倒れようとする力がかかる。そのため、突起３６が爪２０の後端部と係合し、押し出し板２２を後部に固定することができる。
【００２６】
次に、図７に示すように、タバコＴを陳列台１４に並べた後、前記突起３６と爪２０との係合を解除する。すると、押し出し板２２がガイド孔１６に沿って板バネ３０の付勢力によって常に前方にタバコＴを付勢する。そのため、店員は、陳列台１４の前部にあるタバコＴを順番に取って販売することができる。
【００２７】
この押し出し板２２を陳列台１４から取り外す場合は、陳列台１４の後面にある爪２０を後方に押圧し、取り付けるときと逆に押し出し板２２を斜めに寝かせるようにして取り外す。
【００２８】
（３）変更例
本発明は上記各実施例に限らず、その主旨を逸脱しない限り種々に変更することができる。
【００２９】
上記実施例では、渦巻き状の板バネ３０で押し出し板２２を付勢していたが、これに代えて他の弾性部材、例えばコイル状のバネを用いて押し出し板２２を前方に付勢してもよい。
【００３０】
また、上記実施例では、陳列する商品としては、タバコＴで説明したが、これに限らず、他の商品、例えば、飲料容器を陳列してもよい。
【符号の説明】
【００３１】
１０  什器
１２  陳列棚
１４  陳列台
１６  ガイド孔
１８  着脱開口部
２０  爪
２２  押し出し板
２４  脚部
２６  係合部
２８  突出部
３０  板バネ
３６  突起
【図１】
2011125485.tif 000003
【図２】
2011125485.tif 000004
【図３】
2011125485.tif 000005
【図４】
2011125485.tif 000006
【図５】
2011125485.tif 000007
【図６】
2011125485.tif 000008
【図７】
2011125485.tif 000009